(57)【要約】【課題】小型化を実現しつつ、支持面に支持されるシートの積層枚数を増加させることができるシート搬送装置を提供する。【解決手段】シート搬送装置１は、支持部材５０と、支持面５１に対向する位置に設けられた供給部４１と、供給部４１よりも搬送方向Ｄ１の下流側に設けられた分離部４２、４３と、分離部４２、４３よりも搬送方向Ｄ１の上流側に設けられ、支持面５１から突出してシートＳＨの先端を規制する第１位置と、支持面５１から退避してシートＳＨの搬送を許容する第２位置との間で変位可能なストッパ７０と、ストッパ７０を第１位置と第２位置との間で切り替える切替機構９０と、を備える。ストッパ７０は、第１位置にある状態でシートＳＨの先端を規制する規制範囲Ｅ１に、搬送方向Ｄ１の上流側に向けて屈曲可能な屈曲部７６を有する。切替機構９０は、ストッパ７０を第１位置から第２位置に変位させる際に、屈曲部７６を屈曲させる。【選択図】図５
2018184267.tif 000002
【特許請求の範囲】
【請求項１】
シートを支持する支持面を有する支持部材と、
前記支持面に対向する位置に設けられ、前記支持面に支持されるシートを搬送経路に沿って搬送方向の下流側に向けて供給する供給部と、
前記供給部よりも前記搬送方向の下流側に設けられ、前記供給部によって供給されるシートが複数枚であればシートを１枚ずつに分離しつつ前記搬送方向の下流側に向けて搬送する分離部と、
前記分離部よりも前記搬送方向の上流側に設けられ、前記支持面から突出してシートの先端を規制する第１位置と、前記支持面から退避してシートの搬送を許容する第２位置との間で変位可能なストッパと、
前記ストッパを前記第１位置と前記第２位置との間で切り替える切替機構と、を備え、
前記ストッパは、前記第１位置にある状態でシートの先端を規制する規制範囲に、前記搬送方向の上流側に向けて屈曲可能な屈曲部を有し、
前記切替機構は、前記ストッパを前記第１位置から前記第２位置に変位させる際に、前記屈曲部を屈曲させるように構成されていることを特徴とするシート搬送装置。
【請求項２】
前記切替機構は、前記ストッパを前記第１位置から前記第２位置に変位させる際に前記屈曲部に摺接し、前記屈曲部を前記搬送方向の上流側に向けて屈曲させる第１ガイド部を有している請求項１記載のシート搬送装置。
【請求項３】
前記第１ガイド部は、前記支持面よりも下方に形成され、前記第２位置に変位した前記ストッパを収容する収容空間を形成する内壁面の一部である請求項２記載のシート搬送装置。
【請求項４】
前記ストッパは、前記支持面よりも下方の位置で前記支持部材に変位可能に支持され、前記ストッパが前記第１位置にある状態で前記支持面に向かって延び、先端部が前記支持面から突出する基部と、
前記搬送方向に直交する幅方向に延びる第１軸心周りに揺動可能に前記基部の前記先端部に支持され、前記ストッパが前記第１位置にある状態で前記支持面から突出する方向に延びる前記屈曲部と、
前記基部と前記屈曲部との間に設けられ、前記基部の前記先端部に対して前記屈曲部が所定角度を超えて前記搬送方向の下流側に向けて屈曲することを規制する規制部と、を有している請求項１乃至３のいずれか１項記載のシート搬送装置。
【請求項５】
前記ストッパは、前記基部と前記屈曲部との間に設けられ、前記屈曲部を前記搬送方向の下流側に向けて付勢する付勢部材を有している請求項４記載のシート搬送装置。
【請求項６】
前記基部における前記先端部とは反対にある端部には、湾曲部が設けられ、
前記湾曲部は、前記先端部よりも前記搬送方向の上流側で前記幅方向に延びる第２軸心を中心とする下向きの円弧を描くように延び、
前記切替機構は、前記湾曲部に形成され、前記円弧に沿って並ぶ複数のギヤ歯からなる噛合部と、
前記噛合部と噛み合う状態で正方向及び逆方向に回転駆動されるギヤと、を有し、
前記ギヤは、前記正方向に回転駆動されることにより、前記湾曲部を前記第２軸心周りに前記第２位置に向けて変位させる一方、前記逆方向に回転駆動されることにより、前記湾曲部を前記第２軸心周りに前記第１位置に向けて変位させる請求項４又は５記載のシート搬送装置。
【請求項７】
前記切替機構は、前記支持部材に設けられ、前記湾曲部を前記第２軸心周りに変位可能に支持する第２ガイド部を有している請求項６記載のシート搬送装置。
【請求項８】
前記供給部は、前記搬送方向に直交する幅方向に延びる第３軸心周りに回転駆動される供給ローラを含み、
前記分離部は、前記第３軸心と平行な第４軸心周りに回転駆動される分離ローラを含み、
前記第４軸心周りに揺動可能に支持されるとともに、前記供給ローラを前記第３軸心周りに回転可能に保持するホルダを備え、
前記ストッパが前記第２位置から前記第１位置に変位することに連動して、前記屈曲部が前記ホルダに当接し、前記ホルダを前記支持面から離間させる請求項１乃至７のいずれか１項記載のシート搬送装置。
【請求項９】
前記搬送経路の途中に設けられ、前記搬送経路に沿って搬送されるシートの画像を読み取る読取部を備えている請求項１乃至８のいずれか１項記載のシート搬送装置。
【発明の詳細な説明】
【技術分野】
【０００１】
本発明はシート搬送装置に関する。
【背景技術】
【０００２】
特許文献１に従来のシート搬送装置の一例である原稿搬送装置が開示されている。この原稿搬送装置は、載置トレイ、上下のガイド板、ピックアップローラ、給紙ローラ、分離ベルト、原稿ストッパ及び切替機構を備えている。
【０００３】
載置トレイの上面と、下のガイド板の上面の一部とによって、シートを支持する支持面が形成されている。ピックアップローラは、下のガイド板に対向する位置に設けられている。ピックアップローラは、支持面に支持されるシートを搬送経路に沿って搬送方向の下流側に向けて供給する。給紙ローラ及び分離ベルトは、ピックアップローラよりも搬送方向の下流側に設けられている。給紙ローラ及び分離ベルトは、ピックアップローラによって供給されるシートが複数枚であればシートを１枚ずつに分離しつつ搬送方向の下流側に向けて搬送する。
【０００４】
原稿ストッパは、給紙ローラ及び分離ベルトよりも搬送方向の上流側に設けられている。特許文献１の図１６に示されているように、原稿ストッパは、下のガイド板から突出してシートの先端を規制する第１位置と、下のガイド板から下方に退避してシートの搬送を許容する第２位置との間で変位可能である。特許文献１の図５に示されているように、切替機構は、モータ、複数のギヤ、クラッチ等を含んで構成され、原稿ストッパを第１位置と第２位置との間で切り替える。
【先行技術文献】
【特許文献】
【０００５】
【特許文献１】特許第３２９２３９５号公報
【発明の概要】
【発明が解決しようとする課題】
【０００６】
ところで、上記従来の原稿搬送装置では、支持面に支持されるシートの積層枚数を増加させたい場合、第１位置にある原稿ストッパにおける下のガイド板から突出してシートの先端を規制する規制範囲を長くする必要がある。しかしながら、この場合、原稿ストッパが大型化し、原稿ストッパが第１位置から第２位置に変位する際に給紙ローラ及び分離ベルトに干渉し易くなる。そして、原稿ストッパの給紙ローラ及び分離ベルトに対する干渉を防止するためには、原稿ストッパが第１位置から第２位置に変位するための動作スペースを給紙ローラ及び分離ベルトの周辺で大きく確保する必要があり、小型化が難しいという問題がある。
【０００７】
本発明は、上記従来の実情に鑑みてなされたものであって、小型化を実現しつつ、支持面に支持されるシートの積層枚数を増加させることができるシート搬送装置を提供することを目的とする。
【課題を解決するための手段】
【０００８】
本発明のシート搬送装置は、シートを支持する支持面を有する支持部材と、
前記支持面に対向する位置に設けられ、前記支持面に支持されるシートを搬送経路に沿って搬送方向の下流側に向けて供給する供給部と、
前記供給部よりも前記搬送方向の下流側に設けられ、前記供給部によって供給されるシートが複数枚であればシートを１枚ずつに分離しつつ前記搬送方向の下流側に向けて搬送する分離部と、
前記分離部よりも前記搬送方向の上流側に設けられ、前記支持面から突出してシートの先端を規制する第１位置と、前記支持面から退避してシートの搬送を許容する第２位置との間で変位可能なストッパと、
前記ストッパを前記第１位置と前記第２位置との間で切り替える切替機構と、を備え、
前記ストッパは、前記第１位置にある状態でシートの先端を規制する規制範囲に、前記搬送方向の上流側に向けて屈曲可能な屈曲部を有し、
前記切替機構は、前記ストッパを前記第１位置から前記第２位置に変位させる際に、前記屈曲部を屈曲させるように構成されていることを特徴とする。
【０００９】
本発明のシート搬送装置では、ストッパが第１位置から第２位置に変位する際に、切替機構によって、ストッパの屈曲部が搬送方向の上流側に向けて、すなわち、分離部から離間する方向に屈曲する。このような構成により、支持面に支持されるシートの積層枚数を増加させるため、第１位置にあるストッパの規制範囲を長くする場合において、ストッパが第１位置から第２位置に変位するための動作スペースを分離部の周辺で大きく確保しなくとも、ストッパが分離部に干渉することを防止できる。
【００１０】
したがって、本発明のシート搬送装置では、小型化を実現しつつ、支持面に支持されるシートの積層枚数を増加させることができる。
【図面の簡単な説明】
【００１１】
【図１】実施例の画像読取装置の模式断面図である。
【図２】実施例の画像読取装置に係り、支持面、傾斜面及び搬送面を主に示す模式部分上面図である。
【図３】実施例の画像読取装置の模式部分断面図である。
【図４】実施例の画像読取装置の模式部分断面図である。
【図５】実施例の画像読取装置の模式部分断面図である。
【図６】実施例の画像読取装置の模式部分断面図である。
【図７】実施例の画像読取装置の模式部分断面図である。
【図８】実施例の画像読取装置の模式部分断面図である。
【発明を実施するための形態】
【００１２】
以下、本発明を具体化した実施例について図面を参照しつつ説明する。
【００１３】
（実施例）
図１に示すように、実施例の画像読取装置１は、本発明のシート搬送装置の具体的態様の一例である。図１では、排出トレイ６が配置される側を装置の前方と規定し、排出トレイ６に対向した場合に左に来る側、すなわち、図１の紙面奥を左方と規定する。そして、図２以降に示す前後、左右及び上下の各方向は、全て図１に対応させて表示する。以下、図１等に基づいて、画像読取装置１が備える各構成要素について説明する。
【００１４】
＜構成＞
図１に示すように、画像読取装置１は、ハウジング９を備えている。ハウジング９は、上カバー８を含む複数の外装カバーを有する略箱状体である。また、ハウジング９は、図示しない内部フレーム、支持部材５０及び案内部材６０を有している。
【００１５】
支持部材５０は、前部分がハウジング９内で図示しない内部フレームに組み付けられ、後部分がハウジング９の後面から後方に突出している。案内部材６０は、ハウジング９内で図示しない内部フレームに組み付けられ、支持部材５０の前部分に上から対向している。支持部材５０及び案内部材６０はそれぞれ、前後方向及び左右方向に略平板状に延在している。
【００１６】
上カバー８は、ハウジング９の上面を覆い、ハウジング９の後端で下向きに屈曲して後端部８Ｅに至る。上カバー８の後端部８Ｅは、支持部材５０におけるハウジング９の後面から後方に突出する部分から上方に大きく離間している。上カバー８の後端部８Ｅと、支持部材５０におけるハウジング９の後面から後方に突出する部分との間には、導入口９Ｈが形成されている。
【００１７】
支持部材５０の前端部と案内部材６０の前端部とは、ハウジング９の前面に露出している。支持部材５０の前端部と案内部材６０の前端部との間には、排出口９Ｅが形成されている。ハウジング９の前面における排出口９Ｅよりも下方に離間した位置には、排出トレイ６の後端部が接続されている。排出トレイ６は、その後端部から前向きに略平板状に延びている。排出トレイ６の上面は、排出面６Ａとされている。
【００１８】
支持部材５０及び案内部材６０は、ハウジング９内において、導入口９Ｈから排出口９Ｅに至る搬送経路Ｐ１を規定している。なお、搬送経路Ｐ１が延びる方向や形状は、一例である。本実施例では、搬送方向Ｄ１は、導入口９Ｈから排出口９Ｅに向う方向、すなわち、前向きの方向である。また、搬送方向Ｄ１に直交する幅方向は、左右方向である。
【００１９】
より詳しくは、支持部材５０は、支持面５１、傾斜面５３及び搬送面５５を有している。
【００２０】
図１及び図２に示すように、支持面５１は、支持部材５０におけるハウジング９の後面から後方に突出する部分の上面を含み、導入口９Ｈを通過して搬送方向Ｄ１の下流側に向かって略水平に延びる平坦面である。支持面５１における搬送方向Ｄ１の下流側の支持端部５１Ｅは、ハウジング９内における前後方向の中間部と、導入口９Ｈとの間に位置している。支持面５１は、シートＳＨを支持する。
【００２１】
傾斜面５３の下端部は、支持面５１の支持端部５１Ｅに接続している。傾斜面５３は、その下端部から搬送方向Ｄ１の下流側に向かって上り傾斜して上端部に至る平坦面である。傾斜面５３は、搬送経路Ｐ１における支持端部５１Ｅから上り傾斜する部分を下から規定している。
【００２２】
搬送面５５の後端部は、傾斜面５３の上端部に接続している。搬送面５５は、その後端部から搬送方向Ｄ１の下流側に向かって略水平に延びて排出口９Ｅに至る平坦面である。搬送面５５は、傾斜面５３の上端部と下端部との高低差により、支持面５１よりも一段高い位置にある。搬送面５５は、搬送経路Ｐ１における略水平に延びて排出口９Ｅに至る部分を下から規定している。
【００２３】
図２に示すセンターラインＣ１は、支持面５１、傾斜面５３及び搬送面５５における幅方向の中央を通過する直線である。図１は、図２のＡ−Ａ断面を示している。図２に示すように、Ａ−Ａ断面は、傾斜面５３の中間部においてクランク状に屈曲している。Ａ−Ａ断面における屈曲部分から前方に延びる部分は、センターラインＣ１と一致している。Ａ−Ａ断面における屈曲部分から後方に延びる部分は、後述する右方のストッパ７０よりも右方にずれた位置で、後述する右方のストッパ開口５０Ｈを通過している。
【００２４】
なお、本実施例では、支持部材５０は一部材であるが、支持部材５０を複数の部材によって構成してもよい。例えば、支持部材５０は、ハウジング９から後方に突出する供給トレイと、ハウジング９内に位置するロアシュート部材とを含んで構成され、供給トレイの上面と、ロアシュート部材の後端部の上面とによって、支持面５１が形成されていてもよい。
【００２５】
図１に示すように、案内部材６０は、案内面６５を有している。案内面６５の後端部は、搬送面５５の後端部よりも搬送方向Ｄ１の下流側にずれた位置にある。案内面６５は、搬送面５５に上から対向する状態で、その後端部から搬送方向Ｄ１の下流側に向かって略水平に延びて排出口９Ｅに至る平坦面である。案内面６５は、搬送経路Ｐ１における略水平に延びて排出口９Ｅに至る部分を上から規定している。
【００２６】
画像読取装置１は、それぞれハウジング９内に設けられた制御部２、モータＭ１、伝達機構５及び切替機構９０を備えている。また、画像読取装置１は、それぞれハウジング９内で搬送経路Ｐ１に沿って設けられた供給ローラ４１、ストッパ７０、分離ローラ４２、リタードローラ４３、搬送ローラ４４、搬送ピンチローラ４４Ｐ、読取センサ３Ａ、３Ｂ、排出ローラ４５及び排出ピンチローラ４５Ｐを備えている。
【００２７】
供給ローラ４１は、本発明の「供給部」の一例である。分離ローラ４２及びリタードローラ４３は、本発明の「分離部」の一例である。読取センサ３Ａ、３Ｂは、本発明の「読取部」の一例である。
【００２８】
制御部２は、画像読取動作時、モータＭ１及び読取センサ３Ａ、３Ｂを制御する。また、制御部２は、図示しない入出力パネル部等を介して、ユーザからの入力指令を受けたり、画像読取装置１の稼働状況や設定状況等を表示したりする。モータＭ１は、制御部２に制御されて正回転及び逆回転し、駆動力を発生させる。伝達機構５は、ワンウェイクラッチ５Ｃ１、５Ｃ２や、図示しない複数のギヤ、プーリー＆ベルト等を含んで構成されている。
【００２９】
モータＭ１が正回転する場合、伝達機構５において、ワンウェイクラッチ５Ｃ１が接続状態となる一方、ワンウェイクラッチ５Ｃ２が遮断状態となる。これにより、伝達機構５は、ワンウェイクラッチ５Ｃ１を経由して、供給ローラ４１、分離ローラ４２、搬送ローラ４４及び排出ローラ４５に駆動力を伝達する。
【００３０】
モータＭ１が逆回転する場合、伝達機構５において、ワンウェイクラッチ５Ｃ１が遮断状態となる一方、ワンウェイクラッチ５Ｃ２が接続状態となる。これにより、伝達機構５は、ワンウェイクラッチ５Ｃ２を経由して、切替機構９０に駆動力を伝達する。
【００３１】
ハウジング９内には、回転軸４２Ｓ及びホルダ４９が設けられている。回転軸４２Ｓは、図示しない内部フレームによって、第４軸心Ｘ４２周りに回転可能に支持されている。第４軸心Ｘ４２は、搬送面５５と傾斜面５３との接続部よりも搬送方向Ｄ１の下流側に若干ずれた位置、かつ搬送面５５から上方に離間する位置で左右方向に延びている。回転軸４２Ｓには、分離ローラ４２が一体回転可能に取り付けられている。
【００３２】
ホルダ４９は、第４軸心Ｘ４２周りに揺動可能に回転軸４２Ｓに支持されている。ホルダ４９は、回転軸４２Ｓから離間し、傾斜面５３を越えるように後方に突出している。
【００３３】
ホルダ４９の後端部には、供給ローラ４１が第３軸心Ｘ４１周りに回転可能に保持されている。第３軸心Ｘ４１は、支持面５１の支持端部５１Ｅよりも搬送方向Ｄ１の上流側の位置、かつ支持面５１から上方に離間する位置で左右方向に延びている。第３軸心Ｘ４１と第４軸心Ｘ４２とは平行である。つまり、供給ローラ４１は、支持面５１に上から対向する位置に設けられている。
【００３４】
回転軸４２Ｓと供給ローラ４１とは、ホルダ４９内において伝達ギヤ群４９Ｇによって接続されている。伝達機構５は、接続状態のワンウェイクラッチ５Ｃ１、及び回転軸４２Ｓを経由して分離ローラ４２に駆動力を伝達する。この際、伝達機構５は、回転軸４２Ｓ及び伝達ギヤ群４９Ｇを経由して、供給ローラ４１にも駆動力を伝達する。
【００３５】
ホルダ４９の底壁部４９Ｂは、供給ローラ４１と分離ローラ４２との間で略平板状に延在している。底壁部４９Ｂの下面は、傾斜面５３に上から対向し、かつ搬送方向Ｄ１の下流側に向って上り傾斜している。
【００３６】
リタードローラ４３は、回転軸心Ｘ４３周りに回転可能にリタードローラ保持部４３Ｆに保持された状態で、分離ローラ４２の真下に設けられている。リタードローラ保持部４３Ｆの下面と図示しない内部フレームとの間には、圧縮コイルバネ４３Ｔが配置されている。回転軸心Ｘ４３は、搬送面５５から下方に離間する位置で左右方向に延びている。リタードローラ４３の外周面の一部は、搬送面５５から露出している。
【００３７】
リタードローラ４３は、圧縮コイルバネ４３Ｔによって、分離ローラ４２に向かって押圧され、ニップ位置Ｎ１において分離ローラ４２に当接している。ニップ位置Ｎ１は、搬送面５５と傾斜面５３との接続部よりも搬送方向Ｄ１の下流側に若干ずれた位置にある。換言すると、傾斜面５３は、分離ローラ４２及びリタードローラ４３のニップ位置Ｎ１に接近するように搬送方向Ｄ１の下流側に向かって上り傾斜している。
【００３８】
リタードローラ４３とリタードローラ保持部４３Ｆとの間には、図示しないトルクリミッタが設けられている。トルクリミッタは、分離ローラ４２に押圧されたリタードローラ４３に作用するトルクが所定値以下である場合、リタードローラ４３の回転を停止する一方、トルクが所定値を超える場合、リタードローラ４３の回転を許容するように作用する。
【００３９】
図２に示すように、供給ローラ４１は、左右方向においてセンターラインＣ１を挟んで互いに離間する位置で２箇所に設けられている。分離ローラ４２は、供給ローラ４１よりも搬送方向Ｄ１の下流側であって、左右方向においてセンターラインＣ１を挟んで互いに離間する位置で２箇所に設けられている。リタードローラ４３は、分離ローラ４２の真下であって、左右方向においてセンターラインＣ１を挟んで互いに離間する位置で２箇所に設けられている。
【００４０】
支持面５１と傾斜面５３との接続部には、ストッパ開口５０Ｈが形成されている。ストッパ開口５０Ｈは、左右方向においてセンターラインＣ１を挟んで互いに離間する位置で２箇所に設けられている。ストッパ開口５０Ｈは、支持面５１における支持端部５１Ｅを含む一部と、傾斜面５３における支持端部５１Ｅに接続する一部とを切り欠くように形成された略矩形穴である。左方のストッパ開口５０Ｈは、左方の供給ローラ４１よりも左方にずれた位置にある。右方のストッパ開口５０Ｈは、右方の供給ローラ４１よりも右方にずれた位置にある。
【００４１】
ストッパ７０は、分離ローラ４２及びリタードローラ４３よりも搬送方向Ｄ１の上流側に設けられている。ストッパ７０は、２箇所のストッパ開口５０Ｈに対応する位置であって、左右方向においてセンターラインＣ１を挟んで互いに離間する位置で２箇所に設けられている。図１及び図３〜図８は右方のストッパ７０を図示しているが、左方のストッパ７０と右方のストッパ７０とは同一の構成である。
【００４２】
図１〜図８に示すように、切替機構９０は、左方のストッパ７０と、右方のストッパ７０とに対応する位置であって、ハウジング９内における支持面５１よりも下方の位置に設けられている。
【００４３】
ストッパ７０は、切替機構９０によって、図１〜図３に示すように支持面５１から突出してシートＳＨの先端を規制する第１位置と、図５及び図６に示すように支持面５１から退避してシートＳＨの搬送を許容する第２位置との間で変位可能に保持されている。
【００４４】
図４は、切替機構９０の切替動作により、ストッパ７０が図３等に示す第１位置から図５等に示す第２位置に切り替わる途中の状態を示している。図７及び図８は、切替機構９０の逆の切替動作により、ストッパ７０が図５等に示す第２位置から図３等に示す第１位置に切り替わる途中の状態を示している。
【００４５】
ここで、ストッパ７０の構成についての以下の説明は、図３等に示す第１位置にある状態のストッパ７０の姿勢を基準とする。
【００４６】
図３に示すように、ストッパ７０は、基部７１、屈曲部７６、規制部７５及び捩じりコイルバネ７９を有している。捩じりコイルバネ７９は、本発明の「付勢部材」の一例である。
【００４７】
ストッパ７０が第１位置にある状態で、基部７１の先端部７１Ａは、ストッパ開口５０Ｈの真上に位置して、支持面５１から突出している。基部７１の先端部７１Ａにおける搬送方向Ｄ１の上流側を向く面は、第１ストッパ面７１Ｂである。
【００４８】
基部７１は、先端部７１Ａから下向きに略直線状に延びてストッパ開口５０Ｈを通過した後、第２軸心Ｘ７３を中心とする下向きの円弧を描くように湾曲しつつ延びて、湾曲部７３を形成している。第２軸心Ｘ７３は、ストッパ開口５０Ｈよりも搬送方向Ｄ１の上流側で左右方向に延びている。つまり、湾曲部７３は、基部７１における先端部７１Ａとは反対にある端部に設けられている。
【００４９】
屈曲部７６は、左右方向に延びる第１軸心Ｘ７６周りに揺動可能に基部７１の先端部７１Ａに支持されている。屈曲部７６は、支持面５１から突出するように上向きに略直線状に突出している。屈曲部７６における搬送方向Ｄ１の上流側を向く面は、第２ストッパ面７６Ｂである。
【００５０】
捩じりコイルバネ７９は、基部７１の先端部７１Ａと屈曲部７６との間に設けられている。捩じりコイルバネ７９の一端部は、先端部７１Ａに係止されている。捩じりコイルバネ７９の他端部は、屈曲部７６に係止されている。捩じりコイルバネ７９は、屈曲部７６を搬送方向Ｄ１の下流側に向けて付勢している。
【００５１】
屈曲部７６には、被規制部７６Ｋが形成されている。被規制部７６Ｋは、搬送方向Ｄ１の下流側を向く側面の下端部から第１軸心Ｘ７６に接近するように後向きに段状に凹んでいる。規制部７５は、基部７１の先端部７１Ａにおける第１軸心Ｘ７６よりも後方の位置で上向きに突出して、被規制部７６Ｋに対向する凸部である。規制部７５は、捩じりコイルバネ７９によって搬送方向Ｄ１の下流側に向けて付勢される屈曲部７６の被規制部７６Ｋを当て止める。この状態では、基部７１の先端部７１Ａに対して屈曲部７６が屈曲する角度はゼロである。
【００５２】
つまり、規制部７５は、屈曲部７６の屈曲する角度がゼロを超えて搬送方向Ｄ１の下流側に向けて屈曲することを規制する。その一方、規制部７５は、屈曲部７６が捩じりコイルバネ７９の付勢力に抗して搬送方向Ｄ１の上流側に向けて屈曲する際、被規制部７６Ｋから離間して、その屈曲を許容する。
【００５３】
規制部７５が被規制部７６Ｋを当て止めた状態では、基部７１の第１ストッパ面７１Ｂと、屈曲部７６の第２ストッパ面７６Ｂとが面一となって、支持面５１に直交するように上下方向に延びる。この状態の第１ストッパ面７１Ｂの下端から、第２ストッパ面７６Ｂの上端までの範囲は、支持面５１に支持されるシートＳＨの先端を規制する規制範囲Ｅ１である。つまり、ストッパ７０は、第１位置にある状態でシートＳＨの先端を規制する規制範囲Ｅ１に、屈曲部７６を有している。
【００５４】
図３等に示すように、切替機構９０は、ストッパ収容部材９９を有している。ストッパ収容部材９９は、支持部材５０における支持面５１とは反対の面に取り付けられている。ストッパ収容部材９９は、第１壁部９９Ａ、第２壁部９９Ｂ及び第３壁部９９Ｃを含んでいる。
【００５５】
第１壁部９９Ａの上端部は、ストッパ開口５０Ｈの前方の内壁面に下から隣接している。第１壁部９９Ａは、その上端部から下方に延びている。第２壁部９９Ｂの前端部は、第１壁部９９Ａの下端部に接続している。第２壁部９９Ｂは、その前端部から後向きに下り傾斜しながら延びている。第３壁部９９Ｃの前端部は、第２壁部９９Ｂの後端部に接続している。第３壁部９９Ｃは、その前端部から後向き、かつ上向きに湾曲しながら延びている。第３壁部９９Ｃは、第２軸心Ｘ７３を中心とする下向きの円弧を描くように湾曲している。
【００５６】
ストッパ開口５０Ｈの内壁面と、第１壁部９９Ａ、第２壁部９９Ｂ及び第３壁部９９Ｃのそれぞれの内壁面とによって、収容空間Ａ１が形成されている。収容空間Ａ１は、図３等に示す第１位置に変位したストッパ７０における基部７１の先端部７１Ａ及び屈曲部７６以外の部分を収容可能となっている。また、収容空間Ａ１は、図５等に示す第２位置に変位したストッパ７０の全体を収容可能となっている。
【００５７】
図３等に示すように、切替機構９０は、第１ガイド部９１、第２ガイド部９２、規制凸部９９Ｋ、噛合部９３及びギヤ９５を有している。
【００５８】
第１ガイド部９１は、ストッパ開口５０Ｈの前方の内壁面と、第１壁部９９Ａの内壁面とによって構成されている。第２ガイド部９２は、第３壁部９９Ｃの前端部付近に回転可能に支持され、外周面の一部が収容空間Ａ１に露出する２つのコロである。規制凸部９９Ｋは、第３壁部９９Ｃの後端部に近い位置で、第３壁部９９Ｃの内壁面から第２軸心Ｘ７３に向って突出する凸部である。
【００５９】
噛合部９３は、湾曲部７３における第２軸心Ｘ７３に近い内周面に形成されている。噛合部９３は、湾曲部７３の円弧に沿って並ぶ複数のギヤ歯９３Ｇからなる。ギヤ９５は、収容空間Ａ１内で正方向Ｒ１及び逆方向Ｒ２に回転可能にストッパ収容部材９９に支持されている。ギヤ９５は、噛合部９３と噛み合っている。図１に示すように、ギヤ９５には、ゼンマイバネ９５Ｔが接続されている。ゼンマイバネ９５Ｔは、ギヤ９５を正方向Ｒ１に付勢している。
【００６０】
図３〜図８に示すように、第２ガイド部９２の前方のコロは、ギヤ９５よりも前方の位置で湾曲部７３における第２軸心Ｘ７３から遠い外周面に当接している。第２ガイド部９２の後方のコロは、ギヤ９５よりも後方の位置で湾曲部７３における第２軸心Ｘ７３から遠い外周面に当接している。つまり、湾曲部７３は、ギヤ９５と、第２ガイド部９２の２つのコロとによって、３点で挟持されている。これにより、第２ガイド部９２は、基部７１の湾曲部７３を第２軸心Ｘ７３周りに変位可能に支持している。
【００６１】
モータＭ１が正回転する場合、伝達機構５のワンウェイクラッチ５Ｃ２が遮断状態となり、ゼンマイバネ９５Ｔの付勢力によって、ギヤ９５が正方向Ｒ１に回転駆動される。これにより、ギヤ９５は、ストッパ７０の湾曲部７３を第２軸心Ｘ７３周りに図５等に示す第２位置に向けて変位させる。この際、ストッパ７０の湾曲部７３の後端部が第３壁部９９Ｃに凸設された規制凸部９９Ｋに当て止まることにより、ストッパ７０が図５等に示す第２位置に位置決めされる。
【００６２】
その一方、モータＭ１が逆回転する場合、伝達機構５のワンウェイクラッチ５Ｃ２が接続状態となり、モータＭ１の駆動力によって、ギヤ９５が逆方向Ｒ２に回転駆動される。これにより、ギヤ９５は、ストッパ７０の湾曲部７３を第２軸心Ｘ７３周りに図３等に示す第１位置に向けて変位させる。本実施例では、モータＭ１はステッピングモータである。ストッパ７０の第１位置は、制御部２の制御により、モータＭ１が所定の回転角度で逆回転した後、通電状態でその回転角度に保持されることにより、所定の位置に精度良く保持される。なお、モータＭ１として、ステッピングモータ等、通電しない状態で何らかのトルクを発生するモータを採用する場合において、伝達機構５を構成するギヤ等の減速比を適切に設定することにより、ストッパ７０を第１位置に保持するための保持電流を無くすことができる。
【００６３】
切替機構９０がストッパ７０を図３等に示す第１位置から図５等に示す第２位置に変位させる際、図４に示すように、第１ガイド部９１の一部を構成するストッパ開口５０Ｈの前方の内壁面が屈曲部７６に摺接し、屈曲部７６を搬送方向Ｄ１の上流側に向けて屈曲させる。次に、図５に示すように、第１ガイド部９１の他部を構成する第１壁部９９Ａの内壁面が屈曲部７６に摺接し、屈曲部７６を搬送方向Ｄ１の上流側に向けてさらに屈曲させる。その結果、第２位置に変位したストッパ７０の全体が収容空間Ａ１に収容される。
【００６４】
なお、屈曲部７６が搬送方向Ｄ１の上流側に向けて屈曲する際に捩じりコイルバネ７９に蓄えられる反発力は、ストッパ７０の湾曲部７３がゼンマイバネ９５Ｔに付勢されて第２位置に向けて変位することを妨げるように作用する。このため、ゼンマイバネ９５Ｔの付勢力は、そのようなコイルバネ７９の反発力に抗して、スムーズに湾曲部７３を第２位置に向けて変位させるのに十分な大きさとなるように設定される。
【００６５】
切替機構９０がストッパ７０を図５等に示す第２位置から図３等に示す第１位置に変位させる際には、屈曲部７６に摺接する第１ガイド部９１が上記とは逆に作用するので、図７に示すように、屈曲部７６が屈曲する角度を減らすように搬送方向Ｄ１の下流側に向けて揺動する。そして、図８に示すように、屈曲部７６が第１ガイド部９１に当接する状態から離間する状態に移行する際、屈曲部７６が屈曲する角度がゼロに戻る。
【００６６】
ストッパ７０が図３等に示す第１位置にある状態では、屈曲部７６の先端部は、ホルダ４９の底壁部４９Ｂに当接して、ホルダ４９を支持面５１から上方に離間させる。その結果、供給ローラ４１が支持面５１から上方に離間する状態で保持される。そして、第１位置にあるストッパ７０は、ユーザが支持面５１にシートＳＨをセットし、シートＳＨの先端を導入口９Ｈからハウジング９内に挿入する際、第１ストッパ面７１Ｂ及び第２ストッパ面７６Ｂによって、そのシートＳＨの先端を規制することが可能となっている。
【００６７】
その一方、ストッパ７０が図５等に示す第２位置にある状態では、ストッパ７０の全体が収容空間Ａ１に収容されることにより、支持面５１から退避する。この状態で、屈曲部７６の先端部がホルダ４９の底壁部４９Ｂから下方に離間することにより、ホルダ４９が支持面５１に向って揺動し、供給ローラ４１が支持面５１に接近する。
【００６８】
これにより、図５に示すように、第２位置にあるストッパ７０は、支持面５１に支持されるシートＳＨの搬送を許容することが可能となっている。また、図６に示すように、支持面５１上のシートＳＨが無くなり、供給ローラ４１が支持面５１に接触する状態でも、第２位置にあるストッパ７０がホルダ４９に干渉しない。そして、ストッパ７０が図５等に示す第２位置から図３等に示す第１位置に復帰する際、図７に示すように、屈曲部７６の先端部がホルダ４９の底壁部４９Ｂに当接し、図８に示すように、ホルダ４９の底壁部４９Ｂを押し上げて、ホルダ４９を支持面５１から上方に離間させる。
【００６９】
なお、捩じりコイルバネ７９の付勢力は、屈曲部７６の先端部がホルダ４９の底壁部４９Ｂを押し上げる際に屈曲部７６に作用する荷重に抗して屈曲部７６の屈曲角度を減少させるのに十分な大きさに設定される。また、屈曲部７６の先端部は、後方の角部が大きく面取りされた傾斜面となっている。これにより、屈曲部７６の先端部がホルダ４９の底壁部４９Ｂを押し上げる際に屈曲部７６に作用する荷重の向きが屈曲部７６の屈曲角度を減少させる方向に作用し易い。
【００７０】
図１及び図２に示すように、搬送ローラ４４は、分離ローラ４２及びリタードローラ４３よりも搬送方向Ｄ１の下流側に位置している。搬送ローラ４４は、外周面の一部を搬送面５５における前後方向の中間部から露出させる状態で、支持部材５０に回転可能に支持されている。伝達機構５は、接続状態のワンウェイクラッチ５Ｃ１を経由して搬送ローラ４４に駆動力を伝達する。
【００７１】
図１に示すように、搬送ピンチローラ４４Ｐは、外周面の一部を案内面６５における前後方向の中間部から露出させる状態で、案内部材６０に回転可能に支持されている。搬送ピンチローラ４４Ｐは、搬送ローラ４４に向けて押圧されており、搬送ローラ４４の回転によって従動回転する。
【００７２】
図１及び図２に示すように、読取センサ３Ａは、搬送ローラ４４よりも搬送方向Ｄ１の下流側の位置で、支持部材５０に組み付けられている。読取センサ３Ａとしては、例えば、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等が採用される。読取センサ３Ａの上を向く読取面は、搬送面５５とともに搬送経路Ｐ１の一部を下から規定している。
【００７３】
図１に示すように、読取センサ３Ｂは、搬送ピンチローラ４４Ｐよりも搬送方向Ｄ１の下流側の位置で、案内部材６０に組み付けられている。読取センサ３Ｂとしては、読取センサ３Ａと同種のセンサが採用される。読取センサ３Ｂの下を向く読取面は、案内面６５とともに搬送経路Ｐ１の一部を上から規定している。
【００７４】
図１及び図２に示すように、排出ローラ４５は、外周面の一部を搬送面５５の前端部から露出させる状態で、支持部材５０に回転可能に支持されている。伝達機構５は、接続状態のワンウェイクラッチ５Ｃ１を経由して排出ローラ４５に駆動力を伝達する。
【００７５】
図１に示すように、排出ピンチローラ４５Ｐは、外周面の一部を案内面６５の前端部から露出させる状態で、案内部材６０に回転可能に支持されている。排出ピンチローラ４５Ｐは排出ローラ４５に向けて押圧されており、排出ローラ４５の回転によって従動回転する。
【００７６】
＜画像読取動作＞
上記構成である画像読取装置１では、電源が投入された時点で、制御部２が図示しないシート検知部の検出信号に基づいて、支持面５１にシートＳＨが支持されているか否かを判断する。制御部２は、支持面５１にシートＳＨが支持されていると判断した場合、ユーザに対して、支持面５１からシートＳＨを取り除くように報知する。
【００７７】
その一方、制御部２は、支持面５１にシートＳＨが支持されていないと判断した場合、モータＭ１を所定の回転角度で逆回転させ、その後、通電状態でその回転角度に保持する。伝達機構５は、接続状態のワンウェイクラッチ５Ｃ２を経由して、切替機構９０に駆動力を伝達し、ギヤ９５を逆方向Ｒ２に回転させる。
【００７８】
これにより、切替機構９０は、ストッパ７０を図３等に示す第１位置に変位させる。この際、ホルダ４９がストッパ７０の屈曲部７６に押し上げられることにより、供給ローラ４１が支持面５１から上方に離間する状態で保持される。その結果、多数枚のシートＳＨの先端を導入口９Ｈからハウジング９内に挿入し易くなる。そして、制御部２は、画像読取装置１を待機状態とする。
【００７９】
次に、図３に示すように、ユーザが支持面５１にシートＳＨを支持させると、制御部２は、図示しないシート検知部の検出信号の変化に基づいて、その旨を判断する。この際、第１位置に保持されたストッパ７０の第１ストッパ面７１Ｂ及び第２ストッパ面７６Ｂによって、支持面５１に支持されるシートＳＨの先端が規制される。これにより、支持面５１に支持されるシートＳＨの先端位置のばらつきが抑制される。
【００８０】
そして、制御部２は、画像読取動作の実行指令を受けると、モータＭ１及び読取センサ３Ａ、３Ｂの制御を開始する。制御部２は、モータＭ１を正回転させる。
【００８１】
これにより、図１に示す伝達機構５のワンウェイクラッチ５Ｃ２が遮断状態となり、図１に示すゼンマイバネ９５Ｔの付勢力によって、ギヤ９５が正方向Ｒ１に回転駆動される。これにより、図４に示すように、切替機構９０は、ストッパ７０の基部７１を第２位置に変位させ、第１ガイド部９１によって、ストッパ７０の屈曲部７６を搬送方向Ｄ１の上流側に向けて屈曲させる。その結果、図５に示すように、支持面５１に支持されるシートＳＨの搬送が許容される。また、ストッパ７０の屈曲部７６がホルダ４９から下方に離間することにより、供給ローラ４１が支持面５１に接近し、支持面５１に支持される最上位のシートＳＨに当接する。
【００８２】
そして、伝達機構５は、接続状態のワンウェイクラッチ５Ｃ１を経由して、供給ローラ４１、分離ローラ４２、搬送ローラ４４及び排出ローラ４５に駆動力を伝達し、それらを搬送方向Ｄ１に回転させる。
【００８３】
すると、供給ローラ４１は、支持面５１に支持されるシートＳＨを搬送経路Ｐ１に沿って搬送方向Ｄ１の下流側に向けて供給する。供給されるシートＳＨは、傾斜面５３を上って分離ローラ４２及びリタードローラ４３のニップ位置Ｎ１に到達する。この際、最上位のシートＳＨに重なった状態で搬送される他のシートＳＨと傾斜面５３との間に作用する摩擦抵抗により、ニップ位置Ｎ１に向って多数枚のシートＳＨが供給されることが抑制される。
【００８４】
ニップ位置Ｎ１に到達したシートＳＨは、分離ローラ４２及びリタードローラ４３にニップされ、搬送方向Ｄ１の下流側に向けて搬送される。ここで、リタードローラ４３は、ニップ位置Ｎ１に到達するシートＳＨが１枚であれば、図示しないトルクリミッタにより回転が許容され、分離ローラ４２の回転により、そのシートＳＨとともに搬送方向Ｄ１に従動回転する。その一方、リタードローラ４３は、ニップ位置Ｎ１に到達するシートＳＨが複数枚であれば、トルクリミッタにより回転が停止され、分離ローラ４２に接触するシートＳＨ以外のシートＳＨに対し、そのシートＳＨの搬送を止める力を付与する。
【００８５】
図１に示すように、搬送ローラ４４及び搬送ピンチローラ４４Ｐは、１枚ずつに分離されたシートＳＨを読取センサ３Ａ、３Ｂに向けて搬送する。読取センサ３Ａ、３Ｂは、そのシートＳＨの画像を読み取り、制御部２に画像情報を伝達する。排出ローラ４５及び排出ピンチローラ４５Ｐは、読取センサ３Ａ、３Ｂによって画像が読み取られたシートＳＨを排出トレイ６の排出面６Ａに排出する。そして、図６に示すように、支持面５１上にシートＳＨが無くなるまで、ホルダ４９が下方に揺動し、供給ローラ４１が支持面に接近する。
【００８６】
制御部２は、画像読取動作の終了時、モータＭ１を所定の回転角度で逆回転させる。その結果、図７及び図８に示すように、屈曲部７６の屈曲角度を減少させながら、ストッパ７０が第１位置に向けて変位し、屈曲部７６によってホルダ４９を押し上げる。そして、ストッパ７０が図３等に示す第１位置に復帰すると、供給ローラ４１が支持面５１から上方に離間する状態で保持される。その後、制御部２は、画像読取装置１を待機状態とする。
【００８７】
＜作用効果＞
実施例の画像読取装置１では、ストッパ７０が図３等に示す第１位置から図５等に示す第２位置に変位する際に、切替機構９０の第１ガイド部９１によって、ストッパ７０の屈曲部７６が搬送方向Ｄ１の上流側に向けて、すなわち、分離ローラ４２及びリタードローラ４３から離間する方向に屈曲する。このような構成により、図３に示すように、収容空間Ａ１が分離ローラ４２及びリタードローラ４３から搬送方向Ｄ１の上流側に離間する距離Ｌ１を大きくできる。その結果、支持面５１に支持されるシートＳＨの積層枚数を増加させるため、第１位置にあるストッパ７０の規制範囲Ｅ１を長くする場合において、ストッパ７０が第１位置から第２位置に変位するための動作スペースを分離ローラ４２及びリタードローラ４３の周辺で大きく確保しなくとも、ストッパ７０が分離ローラ４２及びリタードローラ４３に干渉することを防止できる。
【００８８】
したがって、実施例の画像読取装置１では、小型化を実現しつつ、支持面５１に支持されるシートＳＨの積層枚数を増加させることができる。
【００８９】
また、この画像読取装置１では、図４及び図５等に示すように、切替機構９０の簡素な第１ガイド部９１によって、ストッパ７０の第２位置への変位に連動して、屈曲部７６をスムーズに屈曲させることを実現できる。
【００９０】
さらに、この画像読取装置１では、第１ガイド部９１が収容空間Ａ１の一部を形成する第１壁部９９Ａの内壁面であるので、第１ガイド部９１を一層簡素化できる。
【００９１】
また、この画像読取装置１では、ストッパ７０が基部７１、屈曲部７６及び規制部７５を有する構成とすることにより、ストッパ７０を簡素化できる。また、図３に示すように、規制部７５が被規制部７６Ｋを当て止めることによって、基部７１の先端部７１Ａに対する屈曲部７６の角度のずれを抑制し、屈曲部７６を基部７１の先端部７１Ａに対して真っ直ぐな状態にできる。その結果、面一な状態の第１ストッパ面７１Ｂ及び第２ストッパ面７６Ｂによって、シートＳＨの先端を精度良く規制できる。
【００９２】
さらに、この画像読取装置１では、図３に示すように、捩じりコイルバネ７９によって、屈曲部７６がシートＳＨの先端に押されなくとも、屈曲部７６を基部７１の先端部７１Ａに対して真っ直ぐな状態に確実に復帰させることができる。
【００９３】
また、この画像読取装置１では、基部７１が湾曲部７３を有していることで、ストッパ７０は、図５等に示す第２位置に変位する際、支持面５１の下方で支持面５１に沿って搬送方向Ｄ１の上流側に向けて移動する。このため、第２位置に変位したストッパ７０を収容する収容空間Ａ１を高さ方向において小さくすることができる。その結果、小型化を一層実現できる。また、切替機構９０の簡素化も実現できる。
【００９４】
さらに、この画像読取装置１では、切替機構９０の第２ガイド部９２によって、湾曲部７３をスムーズに変位させることができる。また、第２ガイド部９２を構成する２つのコロは、支持部材５０に取り付けられたストッパ収容部材９９に設けられている。これにより、図３等に示す第１位置に変位したストッパ７０と支持面５１との位置関係のばらつきを抑制できるので、第１ストッパ面７１Ｂ及び第２ストッパ面７６Ｂによって、シートＳＨの先端を精度良く規制できる。
【００９５】
また、この画像読取装置１では、図７及び図８等に示すように、屈曲部７６を有するストッパ７０がホルダ４９を支持面５１から離間させる機構を兼ねるので、ホルダ４９を支持面５１から離間させための専用の機構が不要となる。その結果、一層の小型化と、製造コストの低廉化とを実現できる。
【００９６】
以上において、本発明を実施例に即して説明したが、本発明は上記実施例に制限されるものではなく、その趣旨を逸脱しない範囲で適宜変更して適用できることはいうまでもない。
【００９７】
実施例では、供給部が供給ローラ４１であるがこの構成には限定されない。例えば、供給部は無端ベルトでもよい。
【００９８】
実施例では、分離部が分離ローラ４２及びリタードローラ４３であるがこの構成には限定されない。例えば、分離部は、リタードローラの代わりに、分離パッドを有していてもよい。
【００９９】
実施例では、屈曲部７６が１箇所で屈曲するがこの構成には限定されない。例えば、屈曲部が複数個所で屈曲して、ストッパが「Ｃ」字形状又はクランク形状になってもよい。
【０１００】
実施例では、第２ガイド部９２は２つのコロであるがこの構成には限定されない。例えば、ストッパ収容部材９９の第３壁部９９Ｃの内壁面を第２ガイド部とし、その内壁面がストッパ７０の湾曲部７３の外周面に摺接して、湾曲部７３を第２軸心Ｘ７３周りに変位可能に支持してもよい。
【０１０１】
実施例では、伝達機構５がワンウェイクラッチ５Ｃ１を含んでいるがこの構成には限定されない。ワンウェイクラッチ５Ｃ１は、例えば、排出されたシートＳＨの巻き込み防止や、複数枚のシートＳＨを順次搬送する場合におけるシートＳＨ同士の間隔制御等の要求仕様に対処するためのものである。このため、シート搬送装置の仕様によっては、ワンウェイクラッチ５Ｃ１を無くすこともできる。
【０１０２】
また、伝達機構５のワンウェイクラッチ５Ｃ２は、ギヤ９５の回転軸よりもモータＭ１に近い箇所に設けられてもよいし、ギヤ９５の回転軸上に設けられてもよい。なお、ワンウェイクラッチ５Ｃ２がギヤ９５の回転軸上に設けられる場合、モータＭ１の駆動力によってギヤ９５の回転軸が回転する速度に対して、ゼンマイバネ９５Ｔがギヤ９５を回転させる速度が速すぎると、相対的に回転軸に対してギヤ９５がロックしてしまう。このため、伝達機構５がモータＭ１の正回転の駆動力をギヤ９５の回転軸に伝達する際の減速比は、伝達機構５がモータＭ１の正回転の駆動力を供給ローラ４１等に伝達する際の減速比よりも低く設定される。このような設定により、モータＭ１が正回転すると、ストッパ７０が第２位置に迅速に変位し、供給ローラ４１等によって搬送が開始されるシートＳＨの先端にストッパ７０が干渉し難い。その結果、シートＳＨの先端がストッパ７０に衝突することによる折れや詰まりを抑制できる。
【産業上の利用可能性】
【０１０３】
本発明は例えば、画像読取装置、画像形成装置又は複合機等に利用可能である。
【符号の説明】
【０１０４】
１…シート搬送装置（画像読取装置）、ＳＨ…シート、５１…支持面
５０…支持部材、Ｐ１…搬送経路、Ｄ１…搬送方向、４１…供給部（供給ローラ）
４２、４３…分離部（４２…分離ローラ、４３…リタードローラ）
７０…ストッパ、９０…切替機構、Ｅ１…規制範囲、７６…屈曲部
９１…第１ガイド部、Ａ１…収容空間、７１…基部、７１Ａ…基部の先端部
Ｘ７６…第１軸心、７５…規制部、７９…付勢部材（捩じりコイルバネ）
７３…湾曲部、Ｘ７３…第２軸心、９３…噛合部、９３Ｇ…複数のギヤ歯
９５…ギヤ、Ｒ１…正方向、Ｒ２…逆方向、９２…第２ガイド部、Ｘ４１…第３軸心
Ｘ４２…第４軸心、４９…ホルダ、３Ａ、３Ｂ…読取部（読取センサ）
【図１】
2018184267.tif 000003
【図２】
2018184267.tif 000004
【図３】
2018184267.tif 000005
【図４】
2018184267.tif 000006
【図５】
2018184267.tif 000007
【図６】
2018184267.tif 000008
【図７】
2018184267.tif 000009
【図８】
2018184267.tif 000010